(57)【要約】【課題】それぞれが所定の周波数で送信される放送情報と時刻情報とを切替えて受信可能な受信装置を提供する。【解決手段】テレビジョン受信装置１は、放送情報が変調され、放送チャンネルの周波数で送信される放送信号と、時刻情報が変調され、所定の周波数で送信される時刻信号とを含む受信信号が入力される入力手段１０と、前記時刻信号の周波数を、前記放送チャンネルの周波数に変換するＣＤＭＡ周波数変換手段２４と、前記放送チャンネルの１つを選択するチャンネル選択手段３９と、前記選択された放送チャンネルに応じた局発信号を生成し、前記局発信号と前記受信信号とを混合して、前記選択された放送チャンネルの信号を中間周波数信号に変換する周波数変換手段３４と、前記中間周波数信号を復調して前記放送情報および前記時刻情報の何れかを取り出す復調手段４０と、前記情報を出力する出力手段とを備える。【選択図】図１
2008118504.tif 000002
【特許請求の範囲】
【請求項１】
放送情報が変調され、周波数帯域毎に割当てられた放送チャンネルの１つの周波数で送信される放送信号と、時刻情報が変調され、所定の周波数で送信される時刻信号とを含む受信信号が入力される入力手段と、
前記時刻信号の周波数を、前記放送チャンネルの１つの周波数に変換する第１の周波数変換手段と、
前記放送信号および前記時刻信号の何れかを含む放送チャンネルの中から、１つを選択するための選択手段と、
前記選択された放送チャンネルの周波数に応じた局発周波数を有する局部発振信号を生成する局部発振信号生成手段と、
前記局部発振信号と前記受信信号とを混合することにより、前記選択された放送チャンネルの周波数を有する信号を、一定値である中間周波数の信号に変換する第２の周波数変換手段と、
前記中間周波数の信号を復調することにより、前記中間周波数の信号が含む前記放送情報および前記時刻情報の何れかの情報を取り出す復調手段と、
前記取り出された情報を出力する出力手段とを備えることを特徴とする受信装置。
【請求項２】
請求項１に記載の受信装置において、
前記第１の周波数変換手段は、前記時刻信号の周波数を、前記放送信号が送信されない放送チャンネルの周波数に変換することを特徴とする受信装置。
【請求項３】
請求項２に記載の受信装置において、
前記入力手段は、前記時刻信号が送信される周波数の帯域と、前記放送信号が送信される周波数の帯域とをそれぞれフィルタリングするバンドパスフィルタを備えることを特徴とする受信装置。
【請求項４】
請求項１に記載の受信装置において、
前記入力された受信信号を前記第１の周波数変換手段に送るか、否かを選択するための信号選択手段を更に備え、
前記信号選択手段で、前記受信信号を前記第１の周波数変換手段に送るべく選択された場合、前記信号選択手段は前記放送信号を遮断すると共に、
前記第１の周波数変換手段は、前記時刻信号の周波数を所定の放送チャンネルの周波数に変換することを特徴とする受信装置。
【請求項５】
請求項４に記載の受信装置において、
前記時刻信号は、少なくとも２つの周波数で送信され、
前記第１の周波数変換手段は、前記時刻信号の何れか１つの周波数を、前記所定の放送チャンネルの１つの周波数に変換することを特徴とする受信装置。
【請求項６】
請求項４乃至５のいずれかに記載の受信装置において、
前記選択手段に対して、選択すべき放送チャンネルを指示する指示手段を更に備え、
前記信号選択手段は、前記指示手段による前記放送チャンネルの指示を契機に、前記受信信号を前記第１の周波数変換手段に送ることを特徴とする受信装置。
【請求項７】
請求項４乃至６のいずれか１項に記載の受信装置において、
少なくとも前記第１の周波数変換手段に対して電源を供給する電源供給手段を更に備え、
前記信号選択手段が前記受信信号を前記第１の周波数変換手段に送らない選択をした場合、前記電源供給手段は、前記第１の周波数変換手段への電源の供給を休止することを特徴とする受信装置。
【請求項８】
請求項１乃至７のいずれか１項に記載の受信装置において、
前記放送情報と前記時刻情報とは、異なる変調方法で変調され、
前記復調手段は、前記中間周波数の信号に施された変調方法に応じて復調することを特徴とする受信装置。
【請求項９】
請求項１乃至８のいずれか１項に記載の受信装置において、
前記時刻情報は、ＣＤＭＡ変調されていることを特徴とする受信装置。
【請求項１０】
請求項１乃至９のいずれか１項に記載の受信装置において、
前記時刻情報は、Ｐｅｒｓｏｎａｌ  Ｈａｎｄｙｐｈｏｎｅ  Ｓｙｓｔｅｍの電波に重畳されていることを特徴とする受信装置。
【発明の詳細な説明】
【技術分野】
【０００１】
本発明は、放送情報と時刻情報とを受信する受信装置に関する。
【背景技術】
【０００２】
デジタル放送を受信するテレビ受信機や録画装置等の電子機器においては、予約録画の時刻設定や、有料放送あるいは著作権保護のための再生可能な有効期間の確定等のため、正確な時刻情報を取得することが極めて重要になっている。このような正確な時刻情報は、地上基地局から送信される長波帯域の標準電波や、ＧＰＳ（Ｇｌｏｂａｌ  Ｐｏｓｉｔｉｏｎｉｎｇ  Ｓｙｓｔｅｍ）衛星から送信される極超短波帯域の時刻データを受信する方法が知られている。更に、近年では、下記特許文献１に記載されているように、移動通信を目的として、ＣＤＭＡ（Ｃｏｄｅ  Ｄｉｖｉｓｉｏｎ  Ｍｕｌｔｉｐｌｅ  Ａｃｃｅｓｓ）変調されて送信される極超短波帯域の電波に含まれる時刻信号を受信して、正確な時刻を取得する装置が提案されている。このような極超短波帯域の電波は、種々の中継局から遍く中継されるため、長波帯域の標準電波やＧＰＳ衛星からの電波と比較して、建物の中や地下のような様々な移動先においても、良好に受信できることが知られている。
【０００３】
【特許文献１】特開２００３−１６９３７６号公報
【発明の開示】
【発明が解決しようとする課題】
【０００４】
しかしながら、テレビ受信機や録画装置等の電子機器において、ＣＤＭＡ変調された時刻信号の電波を受信して時刻情報を取得するためには、受信信号の中からテレビの放送信号を選局して復調する第１の受信回路に加え、この受信回路とは別に、時刻信号を受信するために選局する周波数が異なる第２の受信回路を、電子機器に新たに組み込む必要があるため、電子機器の製作に要するコストが上昇すると共に、電子機器のサイズが大型化されることから、電子機器の消費電力も増大した。
【課題を解決するための手段】
【０００５】
上記した課題を解決するために、本発明の受信装置は、放送情報が変調され、周波数帯域毎に割当てられた放送チャンネルの１つの周波数で送信される放送信号と、時刻情報が変調され、所定の周波数で送信される時刻信号とを含む受信信号が入力される入力手段と、前記時刻信号の周波数を、前記放送チャンネルの１つの周波数に変換する第１の周波数変換手段と、前記放送信号および前記時刻信号の何れかを含む放送チャンネルの中から、１つを選択するための選択手段と、前記選択された放送チャンネルの周波数に応じた局発周波数を有する局部発振信号を生成する局部発振信号生成手段と、前記局部発振信号と前記受信信号とを混合することにより、前記選択された放送チャンネルの周波数を有する信号を、一定値である中間周波数の信号に変換する第２の周波数変換手段と、前記中間周波数の信号を復調することにより、前記中間周波数の信号が含む前記放送情報および前記時刻情報の何れかの情報を取り出す復調手段と、前記取り出された情報を出力する出力手段とを備えることを特徴とする。
【０００６】
この発明によれば、第１の周波数変換手段により、時刻信号が送信される周波数は、放送チャンネルの１つの周波数に変換されることから、この時刻信号を含む放送チャンネルが選択された場合、放送信号から放送情報が取り出されて出力する場合と同様に、選択された放送チャンネルに応じて生成された局部発振信号と時刻信号を含む受信信号とが混合されることで中間周波数の信号に変換され、この中間周波数の信号が復調されることにより時刻情報が取り出されて出力される。従って、時刻信号を、放送チャンネルの１つに割当てることにより、時刻情報および放送情報の何れかを、受信信号から取り出して出力する機能を共通化できるため、受信装置の低コスト化と小型化が図れると共に、消費電力を低減できる。
【０００７】
本発明の受信装置では、前記第１の周波数変換手段は、前記時刻信号の周波数を、前記放送信号が送信されない放送チャンネルの周波数に変換する場合と、前記放送信号が送信される放送チャンネルの周波数に変換する場合が考えられる。
【０００８】
時刻信号の周波数を、放送信号が送信されない放送チャンネルの周波数に変換する場合、前記入力手段は、前記時刻信号が送信される周波数の帯域と、前記放送信号が送信される周波数の帯域とをそれぞれフィルタリングするバンドパスフィルタを備えることが好ましい。
この発明によれば、時刻信号が送信される周波数の帯域と、放送信号が送信される周波数の帯域とがそれぞれバンドパスフィルタによりフィルタリングされるため、２つの信号は、相互の干渉による影響を回避できる。
【０００９】
また、時刻信号の周波数を、放送信号が送信される放送チャンネルの周波数に変換する場合、前記入力された受信信号を前記第１の周波数変換手段に送るか、否かを選択するための信号選択手段を更に備え、前記信号選択手段で、前記受信信号を前記第１の周波数変換手段に送るべく選択された場合、前記信号選択手段は、前記放送信号を遮断すると共に、前記第１の周波数変換手段は、前記時刻信号の周波数を所定の放送チャンネルの周波数に変換することが好ましい。
この発明によれば、信号選択手段の選択により放送信号は遮断され、代わりに、時刻信号の周波数が、所定の放送チャンネルの周波数に変換される。
また、本発明の受信装置では、前記時刻信号は、少なくとも２つの周波数で送信され、前記第１の周波数変換手段は、前記時刻信号の何れか１つの周波数を、前記所定の放送チャンネルの１つの周波数に変換しても良い。
【００１０】
本発明の受信装置は、前記選択手段に対して、選択すべき放送チャンネルを指示する指示手段を更に備え、前記信号選択手段は、前記指示手段による前記放送チャンネルの指示を契機に、前記受信信号を前記第１の周波数変換手段に送ることが好ましい。
この発明によれば、受信信号は、選択すべき放送チャンネルの指示を契機に第１の周波数変換手段に送られるため、放送チャンネルを指示に従い変更する際に、時刻情報を取得できる。
【００１１】
本発明の受信装置は、前記第１の周波数変換手段に対して電源を供給する電源供給手段を更に備え、前記信号選択手段が前記受信信号を前記第１の周波数変換手段に送らない選択をした場合、前記電源供給手段は、前記第１の周波数変換手段への電源の供給を休止することが好ましい。
この発明によれば、時刻信号の周波数を、放送チャンネルの１つの周波数に変換しない場合は、第１の周波数変換手段への電源の供給が休止されるため、消費電力を軽減できる。
本発明の受信装置では、前記放送情報と前記時刻情報とは、異なる変調方法で変調され、前記復調手段は、前記中間周波数の信号に施された変調方法に応じて復調しても良い。また、本発明の受信装置では、前記時刻情報は、ＣＤＭＡ変調されていても良い。更に、本発明の受信装置では、前記時刻情報は、Ｐｅｒｓｏｎａｌ  Ｈａｎｄｙｐｈｏｎｅ  Ｓｙｓｔｅｍの電波に重畳されていても良い。
【発明を実施するための最良の形態】
【００１２】
以下、本発明の実施の形態について、地上デジタル放送を受信するテレビジョン受信装置を用いて説明する。
【００１３】
（実施形態１）
図１は、本発明の実施形態１に係る受信装置の一実施例であるテレビジョン受信装置１の機能構成を示すブロック図である。このテレビジョン受信装置１は、所定の周波数帯域の電波を用いて配信される地上波のデジタルテレビ放送を受信すると共に、ＣＤＭＡ変調されて送信される極超短波帯域の電波に含まれる時刻情報を受信して、この時刻情報が有する正確な時刻を出力する。
テレビジョン受信装置１は、入力手段１０と、固定周波数発振手段２０と、ＣＤＭＡ周波数変換手段２４と、減衰手段２６と、ＴＶチューナ３０と、復調手段４０と、時刻情報出力手段５０と、スピーカ５２と、ディスプレイ５４と、操作指示手段６０と、電源供給手段７０とを備える。また、ＴＶチューナ３０は、ローノイズアンプ３２と、周波数変換手段３４と、局部発振信号生成手段３８と、チャンネル選択手段３９と、ＩＦバンドパスフィルタ３６とを有する。更に、復調手段４０は、ＣＤＭＡ復調手段４２と、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調手段４４と、ＭＰＥＧ（Ｍｏｖｉｎｇ  Ｐｉｃｔｕｒｅ  Ｅｘｐｅｒｔｓ  Ｇｒｏｕｐ）復調手段４８とを有する。これらの各機能部は、図示は略すが、電気回路で実現させても良く、また、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）等で構成され、これらのハードウェアとソフトウェアとを協働させて実現しても良い。
【００１４】
入力手段１０は、放送情報が変調され、周波数帯域毎に割当てられた放送チャンネルの１つの周波数で送信される放送信号と、時刻情報が変調され、所定の周波数で送信される時刻信号とを含む受信信号が入力される。本実施形態１では、空中に放射された電波を受信するアンテナ１２を介して入力される。また、放送信号の電波は、地上デジタル放送の電波であり、ＵＨＦ（Ｕｌｔｒａ  Ｈｉｇｈ  Ｆｒｅｑｕｅｎｃｙ）帯域に６ＭＨｚの帯域幅で割当てられた１３チャンネルから６２チャンネルまでのチャンネル毎に送信される。１つの放送チャンネルを構成する帯域幅は、１４分割されると共に、この中の１３個がセグメントとして使用されている。これらのセグメントは、１セグメントから成る強階層と１２セグメントから成る弱階層の２つの階層に分離され階層伝送される。即ち、１セグメントから成る強階層を用いて低解像度のテレビ放送が配信され、１２セグメントから成る弱階層を用いてハイビジョン等の高解像度のテレビ放送が配信されている。
【００１５】
また、時刻信号の電波は、携帯電話のような移動通信を目的として、ＣＤＭＡ変調された時刻情報が、例えば、８６１ＭＨｚのような極超短波帯域に１．２３ＭＨｚの帯域幅で送信される。ここで、ＣＤＭＡ変調とは、狭帯域の変調波を拡散符号によって再度変調し、受信側で通信チャネルごとに異なる拡散符号を割当てることで多チャネルでの通信を可能にする変調方式である。尚、本実施形態１では、テレビジョン受信装置１は、地上波デジタル放送の少なくとも３セグメント（約１．２９ＭＨｚ帯域）以上に対応しているため、時刻信号の帯域（１．２３ＭＨｚ）に対しても対応できるように構成されている。この入力手段１０の後段には、受信信号から時刻情報を取り出すか、否かを選択するための第１の信号選択手段１４が具備される。この第１の信号選択手段１４により、時刻情報を取り出す選択がなされた場合、入力された受信信号は、ＣＤＭＡ周波数変換手段２４に送られる。
【００１６】
ＣＤＭＡ周波数変換手段２４は、時刻信号の周波数を、複数の放送チャンネルの中の１つの周波数に変換する。本実施形態１では、第１の信号選択手段１４による選択の結果、ＣＤＭＡ周波数変換手段２４に送られる８６１ＭＨｚの時刻信号は、固定周波数発振手段２０を用いて、デジタルテレビ放送の放送コンテンツが送信される６２チャンネルの周波数に変換され、減衰手段２６を経て、ＴＶチューナ３０に送られる。ここで、減衰手段２６は、電気信号の電圧を減衰させるためのアッテネータであり、ＴＶチューナ３０への入力と、ＣＤＭＡ周波数変換手段２４からの出力とを分離することで、相互への影響を軽減する。尚、このアッテネータにより、ＣＤＭＡ周波数変換手段２４の出力は減衰されるが、ＣＤＭＡ周波数変換手段２４は充分な利得を有するため、この程度の減衰は問題にならない。尚、本実施形態１では、ＣＤＭＡ周波数変換手段２４は、時刻信号の周波数を、放送信号が送信されている放送チャンネルの周波数に変換するが、これに限定されるものでは無く、放送信号が送信されていない放送チャンネルの周波数に変換しても良い。また、チャンネル選択手段３９は、放送信号および時刻信号の何れかを含む放送チャンネルの中から、１つを選択する機能を有する。
【００１７】
尚、本実施形態１では、第１の信号選択手段１４は、通常時においては、受信信号から時刻情報を取り出さない側を選択するため、入力された受信信号は、ＣＤＭＡ周波数変換手段２４に送られること無く、ＴＶチューナ３０に送られる。他方で、操作指示手段６０からの指示により、視聴する放送チャンネルが変更される場合や、テレビジョン受信装置１に対する電源の供給状態が変化した場合に限り、第１の信号選択手段１４は、受信信号から時刻情報を取り出すべく、時刻情報取得が完了するまで（最大５００ｍ秒程度）の時間に限り、入力された受信信号をＣＤＭＡ周波数変換手段２４に送る。加えて、チャンネル選択手段３９は、ＣＤＭＡ周波数変換手段２４において変換された周波数に対応する放送チャンネルを、同じタイミングで選択する。この場合、所定の放送チャンネルの周波数で送信された放送信号が遮断されるため、ユーザは所定の放送チャンネルの放送コンテンツが視聴できなくなるが、チャンネル変更時や電源断続時における瞬時の操作であるため、視聴者に対してほとんど違和感を与えない。
【００１８】
ＴＶチューナ３０に入力された受信信号は、ローノイズアンプ３２により増幅された後、周波数変換手段３４に入力される。また、チャンネル選択手段３９により、デジタルテレビ放送の複数の放送チャンネルの中から、１つの所望する放送チャンネルが選択され、局部発振信号生成手段３８により、選択された放送チャンネルの周波数に応じた局発周波数を有する局部発振信号が生成される。生成された局部発振信号は、周波数変換手段３４に入力される。ここで、周波数変換手段３４は、局部発振信号と受信信号とを混合することにより、選択された放送チャンネルの周波数を有する放送信号および時刻信号の何れかを、一定値である中間周波数の信号に変換する。周波数変換手段３４により変換された中間周波数の信号は、ＩＦバンドパスフィルタ３６でフィルタリングされた後、復調手段４０に送られる。このように、ＴＶチューナ３０では、入力された信号が、時刻信号および放送信号の何れであっても、このＴＶチューナ３０を構成する電子回路を変更したり、追加したりすること無く、同一の処理が施され、同一の中間周波数の信号に変換される。
【００１９】
復調手段４０は、中間周波数の信号に施された変調に応じて当該信号を復調することにより、放送情報および時刻情報の何れかを取り出す。本実施形態１では、中間周波数の信号は、最初にＯＦＤＭ復調手段４４に送られる。このＯＦＤＭ復調手段４４は、中間周波数の信号を「０」と「１」から成るデジタル信号に復調する。ＯＦＤＭ復調手段４４は、入力された中間周波数の信号が、放送信号および時刻信号の何れの場合であっても、ＩＱ分離処理までは共通の処理を施す。このように、ＴＶチューナ３０の各機能部と、ＩＱ分離処理までのＯＦＤＭ復調手段４４は、放送信号および時刻信号に関係無く共通の処理を行うが、デジタル放送の時間インターリーブ処理のように大きな遅延を引き起こす回路が含まれないため、時刻情報に対して悪影響を与えることは無い。
【００２０】
続いて、ＩＱ分離処理の後、ＯＦＤＭ復調手段４４が有する第２の信号選択手段４６により、中間周波数の信号が放送信号であるか、または時刻信号であるかにより以降の処理が分岐される。即ち、中間周波数の信号が時刻信号である場合、中間周波数の信号は、ＣＤＭＡ復調手段４２に送られて復調されることにより、時刻情報が取り出され、時刻情報出力手段５０に送られる。この時刻情報出力手段５０は、時刻情報を表示信号に変換してディスプレイ５４の所定の領域に表示しても良く、また、テレビジョン受信装置１が有する時計の時刻を、時刻情報に従い修正しても良い。更に、時刻情報を所定の信号に変換して、通信可能に接続された他の情報機器装置等に送信しても良い。
【００２１】
他方で、中間周波数の信号が放送信号である場合、中間周波数の信号は、ＯＦＤＭ復調された後、ＭＰＥＧ復調手段４８に送られて復調されることにより、音声信号と映像信号が取り出され、それぞれスピーカ５２およびディスプレイ５４に送られて出力する。尚、本実施形態１では、第２の信号選択手段４６は、前記した第１の信号選択手段１４と連動して選択するように構成されている。また、ディスプレイ５４は、１つに限定するものでは無く、時刻情報と映像信号の映像とを、異なるディスプレイにそれぞれ表示しても良い。
【００２２】
電源供給手段７０は、テレビジョン受信装置１の各機能部に対して必要な電源を供給する。また、操作指示手段６０は、テレビジョン受信装置１の各動作を指示する。本実施形態１では、チャンネル選択手段３９に対して選択すべき放送チャンネルを指示したり、電源供給手段７０に対して電源の供給の開始および終了を指示したりする。尚、第１の信号選択手段１４の選択により、入力された受信信号がＣＤＭＡ周波数変換手段２４に送られない場合、電源供給手段７０は、ＣＤＭＡ周波数変換手段２４に対して、電源の供給を休止しても良い。
【００２３】
図２は、テレビジョン受信装置１を起動して放送コンテンツを視聴する処理の流れを説明するフローチャートである。最初に、テレビジョン受信装置１に電源が投入されると、ステップＳ１００において、テレビジョン受信装置１は、時刻信号を受信して、時刻情報を出力する工程が実行される。
【００２４】
この工程は、図３に示すように、最初に、ステップＳ１５０において、テレビジョン受信装置１は、時刻信号を、所定の放送チャンネルの周波数に変換する。次に、ステップＳ１５２において、テレビジョン受信装置１は、所定の放送チャンネルの周波数に変換された信号を、中間周波数の信号に変換する。続いて、ステップＳ１５４において、テレビジョン受信装置１は、中間周波数の信号を復調して、時刻情報を取得する。最後に、ステップＳ１５６において、テレビジョン受信装置１は、取得した時刻情報を出力して終了する。
【００２５】
図２に戻り、ステップＳ１０２において、テレビジョン受信装置１は、初期値の放送チャンネルを受信すべくＴＶチューナ３０を設定する。ここで、初期値の放送チャンネルとは、テレビジョン受信装置１の起動時に選択される１つの放送チャンネル、例えば前回受信時に、最後に受信していたチャンネルである。
【００２６】
次に、ステップＳ１０４において、テレビジョン受信装置１は、ＴＶチューナ３０に設定した放送チャンネルの放送信号を復調する。続いて、ステップＳ１０６において、テレビジョン受信装置１は、復調した放送情報が示す放送コンテンツを表示する。
【００２７】
次に、ステップＳ１０８において、テレビジョン受信装置１は、受信すべき放送チャンネルを変更するか、否かを判定する。ここで、受信する放送チャンネルを変更する場合（ステップＳ１０８でＹｅｓ）、テレビジョン受信装置１は、ステップＳ１００（図３）を実行した後、ステップＳ１１０において、指定された放送チャンネルを受信すべくＴＶチューナ３０を設定し、ステップＳ１０４に戻る。
【００２８】
他方で、受信する放送チャンネルを変更しない場合（ステップＳ１０８でＮｏ）、ステップＳ１１２に進み、テレビジョン受信装置１は、放送コンテンツの視聴の終了が指示されたか、否かを判定する。ここで、放送コンテンツの視聴の終了が指示されない場合（ステップＳ１１２でＮｏ）、ステップＳ１０４に戻る。他方で、放送コンテンツの視聴の終了が指示された場合（ステップＳ１１２でＹｅｓ）、テレビジョン受信装置１は、ステップＳ１００（図３）を実行した後、電源の供給を終了すべく、電源を遮断して一連の処理を終了する。受信する放送チャンネルを変更する場合に、ステップＳ１００を実行する回数は、当然、２回に１回とか３回に１回等に減じることができる。
【００２９】
以上述べた実施形態によれば、以下のような効果を奏する。
（１）ユーザにより視聴される放送チャンネルが切替えられたり、電源が投入または遮断されたりする際に、テレビジョン受信装置１は、ユーザが気づかないような短い時間で、受信する放送チャンネルを切替え、時刻信号を受信して時刻情報を取り出すため、ユーザの視聴を妨げることなく、正確な時刻情報を取得できる。
【００３０】
（実施形態２）
次に、本発明の実施形態２について、図４を参照して説明する。尚、以下の説明では、既に説明した部分と同じ部分については、同一符号を付してその説明を省略する。
【００３１】
図４は、本発明の実施形態２に係る受信装置の一実施例であるテレビジョン受信装置１の機能構成を示すブロック図である。前記の実施形態１におけるテレビジョン受信装置１では、時刻情報がＣＤＭＡ変調されて送信される時刻信号の基地局は１つであって、時刻信号が変換される周波数に対応する１つの固定周波数発振手段２０が具備されたが、本実施形態２では、時刻情報がＣＤＭＡ変調されて送信される時刻信号の基地局は２つであり、時刻信号が送信されるそれぞれの周波数に応じた固定周波数発振手段Ａ２１と固定周波数発振手段Ｂ２２とが具備される。固定周波数発振手段Ａ２１と固定周波数発振手段Ｂ２２は、周波数選択手段２３により何れか１つが選択されると共に、選択された側に対応する時刻信号の周波数は、ＣＤＭＡ周波数変換手段２４において所定の周波数に変換される。例えば、時刻信号が、２つの基地局から８４４ＭＨｚと８６１ＭＨｚの周波数で送信されている場合、固定周波数発振手段Ａ２１と固定周波数発振手段Ｂ２２の固定周波数を適切に設定することにより、固定周波数発振手段Ａ２１が選択された場合は、８４４ＭＨｚの時刻信号は６１チャンネルの周波数に変換される。また、固定周波数発振手段Ｂ２２が選択された場合は、８６１ＭＨｚの時刻信号は６２チャンネルの周波数に変換される。尚、時刻信号の信号数は２つに限定されるものでは無く、３つ以上であっても良い。
【００３２】
このような実施形態２によれば、実施形態１の（１）に加えて、以下のような効果を奏することができる。
（２）時刻信号が送信される基地局が複数の場合でも、固定周波数発振手段Ａ２１および固定周波数発振手段Ｂ２２を切替えることにより、それぞれ適切な放送チャンネルの周波数に変換できる。
【００３３】
（実施形態３）
次に、本発明の実施形態３について、図５を参照して説明する。図５は、本発明の実施形態３に係る受信装置の一実施例であるテレビジョン受信装置１の機能構成を示すブロック図である。前記の実施形態１におけるテレビジョン受信装置１では、ＣＤＭＡ周波数変換手段２４は、時刻信号の周波数を、放送信号が送信される放送チャンネルの周波数に変換したが、本実施形態３では、放送信号が送信されていない放送チャンネルの周波数への変換を想定する。この場合、実施形態１で具備した第１の信号選択手段１４に替えて、時刻信号の周波数の帯域と放送信号の周波数の帯域とをそれぞれフィルタリングする２つのバンドパスフィルタ（１６，１８）を具備する。この中で、一方のバンドパスフィルタ１６は、時刻信号が送信される周波数の帯域（例えば、８６０ＭＨｚ〜８６２ＭＨｚ）のみを通過させる。また、他方のバンドパスフィルタ１８は、１３チャンネルから６２チャンネルまでの周波数の帯域のみを通過させる。また、本実施形態３では、第２の信号選択手段４６は、入力された中間周波数の信号を解析して、ＣＤＭＡ復調手段４２に送るか、またはＭＰＥＧ復調手段４８に送るかを判定しても良い。
【００３４】
このような実施形態２によれば、実施形態１の（１）に加えて、以下のような効果を奏することができる。
（３）時刻信号の周波数をＣＤＭＡ周波数変換手段２４で変換するか、否かを選択するためのスイッチが不要になるため、選択の切替えにより生じる信号処理の遅延や、切替え時に発生するノイズを防止できる。
【００３５】
以上、本発明を図示した実施形態１〜３に基づいて説明したが、本発明は、これらの実施形態に限定されるものではなく、以下に述べるような変形例も想定できる。
（１）ＣＤＭＡ周波数変換手段２４において、時刻信号の周波数を所定の放送チャンネルの周波数に変換するために基準となる周波数は、固定周波数発振手段２０、固定周波数発振手段Ａ２１および固定周波数発振手段Ｂ２２のように固定されたが、放送チャンネルの選択状況や、電波状況等に応じて、基準となる周波数を変化させ、変化させた周波数に応じた放送チャンネルを、チャンネル選択手段３９で選択しても良い。
（２）時刻情報は、ＣＤＭＡ変調された場合に限らず、Ｐｅｒｓｏｎａｌ  Ｈａｎｄｙｐｈｏｎｅ  Ｓｙｓｔｅｍ（ＰＨＳ）の電波に重畳されていても良い。
【図面の簡単な説明】
【００３６】
【図１】本発明の実施形態１に係る受信装置の一実施例であるテレビジョン受信装置の機能構成を示すブロック図。
【図２】テレビジョン受信装置を起動して放送コンテンツを視聴する処理の流れを説明するフローチャート。
【図３】テレビジョン受信装置が時刻信号を受信して、時刻情報を出力する処理の流れを説明するフローチャート。
【図４】本発明の実施形態２に係る受信装置の一実施例であるテレビジョン受信装置の機能構成を示すブロック図。
【図５】本発明の実施形態３に係る受信装置の一実施例であるテレビジョン受信装置の機能構成を示すブロック図。
【符号の説明】
【００３７】
１…テレビジョン受信装置、１０…入力手段、１２…アンテナ、１４…第１の信号選択手段、１６…一方のバンドパスフィルタ、１８…他方のバンドパスフィルタ、２０…固定周波数発振手段、２１…固定周波数発振手段Ａ、２２…固定周波数発振手段Ｂ、２３…周波数選択手段、２４…ＣＤＭＡ周波数変換手段、２６…減衰手段、３０…ＴＶチューナ、３２…ローノイズアンプ、３４…周波数変換手段、３６…ＩＦバンドパスフィルタ、３８…局部発振信号生成手段、３９…チャンネル選択手段、４０…復調手段、４２…ＣＤＭＡ復調手段、４４…ＯＦＤＭ復調手段、４６…第２の信号選択手段、４８…ＭＰＥＧ復調手段、５０…時刻情報出力手段、５２…スピーカ、５４…ディスプレイ、６０…操作指示手段、７０…電源供給手段。
【図１】
2008118504.tif 000003
【図２】
2008118504.tif 000004
【図３】
2008118504.tif 000005
【図４】
2008118504.tif 000006
【図５】
2008118504.tif 000007